(57)【特許請求の範囲】
【請求項１】
高さ方向に適宜の高さ(H)で伸縮調節できる筒形で多段式(11)〜(1n)の支持脚(1)と、その支持脚頂部(1n′)において左右の水平方向に張り出すシート支受バー(2)とからなり、そのシート支受バー(2)を支持脚頂部(1n′)に螺合又は嵌合により脱着できるようにした筒形ソケット（21′)をシート支受バー(2)の中央部に設けた
ことを特徴とする乗用ゴルフカート搭載のキャディバッグの雨除けカバー保持具。
【請求項２】
高さ方向に適宜の高さ(H)で伸縮調節できる筒形で多段式(11)〜(1n)の支持脚(1)と、その支持脚頂部(1n′)において左右に分割して水平方向に張り出すシート支受バー(21)・(22)とからなり、支柱脚上部(1n)と左右のシート支受バー(21)・(22)をそれぞれ中折れ式の斜辺ステー(3)を介して折畳みできるようにした乗用ゴルフカート搭載のキャディバッグの雨除けカバー保持具。
【請求項３】
高さ方向に適宜の高さ(H)で伸縮調節できるで筒形で多段式(11)〜(1n)の支持脚(1)と、その支持脚頂部(1n′)において左右に分割して水平方向に張り出すシート支受バー(21)・(22)とからなり、支柱脚上部(1n)と左右分割の各シート支受バー(21)・(22)をそれぞれ中折れ式の斜辺ステー(3)を介して折畳みできるように構成し、支持脚(1)の頂部に取付けたシート支受バー(21)・(22)の端部同士を連結具(4)で取外しできるように結合した伸縮式の筒形支持脚(1)を左右一対に並べるようにしたゴルフカート搭載のキャディバッグの雨除けカバー保持具。
【発明の詳細な説明】
【技術分野】
【０００１】
本発明は、既存の乗用ゴルフカートに何の改造を加えずに搭載したキャディバッグの雨除けカバー保持具に関するもので、雨天のプレー時に簡単な操作によって組立てができ、用済み後の取り外しや折り畳み又は分解が簡単にできるようにしたことを目的とする。
【背景技術】
【０００２】
雨の日のゴルフプレーにおいて、乗用ゴルフカートに付いている既存の雨除けカバーは、キャディバッグに入って露出しているゴルフクラブに直接接触するので、そのゴルフクラブの出し入れ時に雨水が直接あたったりして、びしょびしよに濡れることが多い。
【０００３】
また、雨除けカバーが直接キャディバッグ及びゴルフクラブに被さっているため、そのクラブの出し入れがしづらいことも難点であった。
【０００４】
本発明は、降雨時のゴルフプレーをするに当ってゴルフクラブが濡れるのを少しでも解消することと、キャディバッグからゴルフクラブの出し入れのしづらさを解消することを目的とする。
【先行技術文献】
【特許文献】
【０００５】
【特許文献１】特開１１−２１６２１５公開特許公報
【特許文献２】第３０５６９７５号登録実用新案公報
【特許文献３】第３１６４２５５号登録実用新案公報
【０００６】
特許文献１は、ゴルフカートの屋根枠後部に巻きとって収納した雨除けカバーの一部を取付け、使用時に開放してゴルフカートに搭載したキャディバッグに収納してあるクラブの頭部に接触することなく覆うようにした構成である。
特許文献２は、ゴルフカートの後部に湾曲したビニールカバーを保持するための骨組みを介して折り畳みできるように備えてキャディバッグの雨除けに供する構成である。
特許文献３は、ゴルフカートの後部にシート張設用骨組み部を介して天井シートを設けてキャディバッグを覆うようにする構成である。
【０００７】
上記の各特許文献の発明は、雨除けカバーが直接キャディバッグのクラブに接触しないので、クラブの出し入れに雨に濡れにくいので便利である。しかしながら、当該特許文献の雨除けカバーはいずれも既存のカバーを使用するのではなく、専用の骨組みを施し、その骨組みを介してキャディバッグを覆う形状に保型している。
【発明の概要】
【課題を解決するための手段】
【０００８】
そこで、本発明は、専用の骨組み等は一切用いず、しかも既存の雨除けカバーをそのまま使用しながらもキャディバッグのクラブとの適宜の空間を自由に設定できるようにした雨除けを提供するものである。
【０００９】
本発明の第１は、乗用ゴルフカート搭載のキャディバッグの雨除けカバー保持具において、高さ方向に伸縮調節できる筒形の支持脚の頂部に左右水平方向に張り出すシート支受バーを固定し又は分解ができ、若しくは折畳み分解ができるように設けたものである。
【００１０】
本発明の第２は、第１の発明に係る乗用ゴルフカート搭載のキャディバッグの雨除けカバー保持具において、シート支受バーの中程に筒形ソケットを当該支受バーと直交して設け、これを筒形の支持脚の頂部に脱着できるように挿入結合するようにしたものである。
【００１１】
本発明の第３は、第１の発明に係る乗用ゴルフカート搭載のキャディバッグの雨除けカバー保持具において、シート支受バーを筒形支持脚の中心部から左右に分割し、その左右のシート支受バーをそれぞれ中折れ式の斜辺ステーを介して折畳みできるようにしたものである。
【００１２】
本発明の第４は、第１ないし第３の発明に係る乗用ゴルフカート搭載のキャディバッグの雨除けカバー保持具において、伸縮式筒形の支持脚を左右一対に並べ、支持脚の頂部に取付けたシート支受バーの端部同士を連結具で取外しできるように結合するようにしたものである。
【発明の効果】
【００１３】
本発明は上記の構成であるから、次のような作用効果がある。
第１に、雨の日のプレーにおいて、荷台に搭載した通常の４バッグすなわちキャディバッグを搭載し、その上に被せた雨除けカバーを荷台の横幅方向の中央部に設けてあるパターケースとこれに隣接するキャディバッグの間に挟んで設置し、または隣接するキャディバッ同士の間に挟んでシート支受バーでキャディバッグの頂面部位から適当な空間を設けて支受することにより、雨に濡れることが少なくなり、クラブの取出しと収納がきわめて容易に行える。
【００１４】
第２に、雨が上がって用済み後は、雨除けカバーを片付けた後、本発明品の折畳み式にあっては、左右のシート支受バーを、その斜辺ステーを中折りして当該支受バーを支持脚に沿って折り畳むことができるため、コンパクトに収納することができる。
【００１５】
第３に、本発明品の分割式にあっては、支持脚と、その支持脚頂部近傍からシート支受バー側とを外して分割することによって支持脚と一緒にコンパクトに収納することができる。
以後クラブの出し入れに邪魔になったり目障りになるようなことが無くなり、キャディやプレーヤの負担が軽減される。
【００１６】
第４に、本発明にあっては、その使用にあたり、専用の雨除けカバーや当該カバーを保持するための骨組みなどを一切設けず、すべて既存の雨除けカバーに適用し、且つ設置にあたっても既存のパターケースとキャディバッグの間に挟み、又はキャディバッグ同士の間に挟むだけで済むので、簡単迅速に雨除け対応ができる効果がある。
【図面の簡単な説明】
【００１７】
【図１】本発明の第１実施例を示す乗用ゴルフカートの背面図である。
【図２】図１の側面図である。
【図３】図２の一部を示す拡大図である。
【図４】本発明の第２実施例を示す乗用ゴルフカートの背面図である。
【図５】図４の側面図である。
【図６】本発明の第３実施例を示す乗用ゴルフカートの背面図である。
【図７】図６の側面図である。
【図８】本発明の第４実施例を示す乗用ゴルフカートの背面図である。
【図９】図８の側面図である。
【図１０】図１に示す第１実施例の雨除けカバー保持具の正面図である。
【図１１】図１０の分解状態を示す雨除けカバー保持具の正面図である。
【図１２】図１１の一部を示す拡大正面図である。
【図１３】図３に示す第２実施例の雨除けカバー保持具の正面図である。
【図１４】図１３の分解状態を示す雨除けカバー保持具の正面図である。
【図１５】図６に示す第３実施例の雨除けカバー保持具の正面図である。
【図１６】図１５の折り畳み状態を示す雨除けカバー保持具の正面図である。
【図１７】図８に示す第４実施例の雨除けカバー保持具の正面図である。
【図１８】左右一対の支受バーの端部同士を連結するための連結具の拡大斜視図である。
【図１９】図１７の１９−１９線に沿う拡大断面図である。
【図２０】図１７の折畳み状態を示す雨除けカバー保持具の正面図である。
【図２１】図８、図１５、図１７に示すシート支受バーの拡大正面図である。
【図２２】図２１の折畳み（又は組立て）途中の正面図である。
【図２３】図２１における支受バーの折畳み状態を示す拡大正面図である。
【図２４】本発明に係る雨除けカバー保持具を荷台に搭載したキャディバッグに被せた乗用ゴルフカートの斜視図である。
【図２５】従来の既存の雨除けカバーをキャディバッグに被せた乗用ゴルフカートの側面図である。
【発明を実施するための形態】
【００１８】
本発明は、乗用ゴルフカートの荷台に搭載したゴルフクラブのキャディバッグとパターケースの間やゴルフバッグ同士の間に伸縮して高さ調節できる支持脚を挟み込み、その頂部に設けた左右の水平方向に張り出すシート支受バーで既存のシート状の雨除けカバーをゴルフクラブの露出頂部との間に適当なスペースを確保して被せる。
【００１９】
そして、雨上がり等の用済み後にあっては、雨除けカバーを片付けると支持脚及びシート支受バーが露呈して邪魔になるので、これを折り畳んだり、分解したりしてコンパクトにまとめて収納できるような形態になっている。
【実施例１】
【００２０】
図１〜３及び図１０〜図１４において、１は高さの調節ができる伸縮式の支持脚であり、具体的には多段式の円筒に挿入した支持脚１１〜１ｎを最低９０ｃｍから最高２００ｃｍの間の適宜の高さＨに設定できる。２は支持脚頂部１ｎ′の雄ねじに螺合する雌ねじを有する筒形ソケット２１′（図１２）を設けた水平孔２ｎに挿通したシート支受バーであり、図１０の図示例は既存の雨除けカバーＣにおける両側面Ｃ１（図１、図２３）の横幅内に収まる横幅Ｗ（約９１ｃｍ〜９３ｃｍ）に設定した防錆の金属棒を示す。上記の筒形ソケット２１′は、
ねじによる螺合のほか、内外筒形による嵌合式にすることも可能である。
【００２１】
図4及び図6において、支持脚1と一体のシート支受バー2を左右丁対用意し、支持脚１を４バッグの隣接するキャディバッグＢとパターケースＰcの間に挟み込む構成になっている。この場合の支持脚１の高さＨは９０ｃｍから最高２００ｃｍに設定してある。この場合のシート支受バー２の長さＷは、既存の雨除けカバーＣの横幅内に収まる幅Ｗ（９１ｃｍ〜９３ｃｍ）に設定する。
【００２２】
図６及び図７、図４及び図１５、図１８及び図１９において、３は支持脚１の頂部１ｎ′において分割し、その各水平のシート支受バー２１・２２を折り畳みできるように支受する中折れ式斜辺ステーであり、上下のステー片３′・３″が回動軸３３で結合してある。
当該ステーの一端を支持脚の頂部１ｎに、他端をシート支受バー２１・２１に回動できるように接続してある。上記のシート支受バー２１・２１は、アルミ押出形材で断面に逆Ｍ字形の凹溝を成形したものを用いている。この場合のシート支受バー２の長さは、９１ｃｍ〜９３ｃｍに設定してある。
【００２３】
図８及び図１７〜図２０において４は横断面が逆Ｍ字形を成す左右の支受バー２の端部同士を挿入して連結する連結具であり、当該連結具のネジ孔に摘み付きねじ４１をねじ込んでその先端を逆さＭ字形の凹溝に掛止して支受バー２の端部同士を固定するようにしてある。前記の支受バーは、逆さＭ形に限定されず、角管や丸管でも可能である。５は乗用ゴルフカートＧの荷台ＮにパターケースＰＣを挟んでその両側に搭載したキャディバッグＢを被せるために雨除けカバーＣをシート支受バー２に止着するためのクリップである。上記の図１７及び図２０において、左右一対の支受バー２の長さＷ×２がシートカバーＣの横幅内に収まるように、支受バーの長さ（Ｗ×２）の一方（外側）Ｗ２を他方（内側）にＷ１に比べて短くしてある。
【００２４】
図８及び図９、図１６及び図１７において、支持脚１と一体で折畳み式のシート支受バー２を左右一対用意し、支持脚１を４バッグの隣接するキャディバッグＢ１・Ｂ２及びＢ３・Ｂ４の間に挟み込む構成になっている。この場合のシート支受バー２１・２１の長さは、５０ｃｍ〜５５ｃｍに設定してある。
【００２５】
ゴルフカートＡの屋根Ａ１の後端部位に巻き上げてある雨除けカバーＣを引き下ろす前に、当該カバーの保持具における伸縮式支持脚１の高さＨを調節しておく。
「具体的な使用法・その１」
本発明に係るカバーの保持具を１個だけ用いる場合は、荷台Ｎに設置されているパターケースＰＣと、これに隣接して搭載されている左右一対のキャディバッグＢの間に支持脚１を挟み込む。
【００２６】
雨除けカバーＣを引き下ろしてキャディバッグＢのフードを外し、露出しているクラブの頂部を覆った当該カバーをシート支受バー２で支受すると共に、最も長いクラブ（ドライバー）と当該カバーＣとのスペースを１５ｃｍ〜２０ｃｍに確保しておく。
【００２７】
雨除けカバー保持具を左右一対に使用する場合は、支持脚１と支受バー２がほぼ門型をなし、２バッグの場合や、または雨除けカバーＣを安定強固に保持するときに用いるのに対応する。
【００２８】
本発明に係る雨除けカバー保持具の用済み後において、図１及び図４にあっては、図１０〜図１４に示す支持脚１からシート支受バーを頂部近傍から取り外し、パターケースＰCとキャディバッグＢ２、またはキャディバッグＢ２同士に挟み込んだ支持脚１を抜き取り、パターケースＰCとキャディバッグＢ、またはキャディバッグＢ同士に挟み込んだ支持脚１を抜き取り、カートＡの所定箇所に格納する。
【００２９】
また、図１５〜図２３に示すように、雨除けカバー保持具のシート支受バー２が折畳み式の場合は、図２１の状態から左右のシート支受バー２に取り付けてある斜辺ステー４の中央部の回動軸３３を内側方向の押すと、支受バー２側の回動軸３４を及び斜辺ステー両端の回動軸３１・３２を介して図２２の状態を経て図２３の状態に折り畳まれる。パターケースＰCとキャディバッグＢ２、またはキャディバッグ同士Ｂ１・Ｂ２又はＢ３・Ｂ４に挟み込んだ支持脚１を抜き取って、ゴルフカートＡの所定箇所に格納する。
【符号の説明】
【００３０】
１…支持脚
２…支受バー
２１…支柱の中心から左右に張り出す支受バー
２１′…筒形のソケット
３…斜辺ステー
４…支受バーの連結具
５…雨除けカバーを支受バーに止着するクリップ
Ａ…ゴルフカート
Ｂ（Ｂ１〜Ｂ４）…キャディバッグ
Ｃ…雨除けカバー
Ｄ…ドライバー
Ｇ…隙間
Ｈ…支持脚の高さ
Ｎ…荷台
ＰC…パターケース
Ｗ…支受バーの横幅
【要約】
【目的】
本発明は、既存の乗用ゴルフカートに何の改造を加えずに搭載したキャディバッグの雨除けカバー保持具に関するもので、雨天のプレー時に簡単な操作によって組立てができ、用済み後の折り畳み又は分解が簡単にできるようにしたことを目的とする。
【構成】
高さ方向に伸縮調節できる支持脚(1)の頂部に左右水平方向に張り出すシート支受バー(2)を固定し、又は折畳み若しくは分解できるように設け、且つシート支受バー(2)の中程に筒形ソケット(21′)を当該支受バーと直交して設け、これを筒形の支持脚の頂部（11）に脱着できるように挿入結合した乗用ゴルフカート搭載のキャディバッグの雨除けカバー保持具の構成。。
【選択図】      図２【図１】
0005916183.tif 000002
【図２】
0005916183.tif 000003
【図３】
0005916183.tif 000004
【図４】
0005916183.tif 000005
【図５】
0005916183.tif 000006
【図６】
0005916183.tif 000007
【図７】
0005916183.tif 000008
【図８】
0005916183.tif 000009
【図９】
0005916183.tif 000010
【図１０】
0005916183.tif 000011
【図１１】
0005916183.tif 000012
【図１２】
0005916183.tif 000013
【図１３】
0005916183.tif 000014
【図１４】
0005916183.tif 000015
【図１５】
0005916183.tif 000016
【図１６】
0005916183.tif 000017
【図１７】
0005916183.tif 000018
【図１８】
0005916183.tif 000019
【図１９】
0005916183.tif 000020
【図２０】
0005916183.tif 000021
【図２１】
0005916183.tif 000022
【図２２】
0005916183.tif 000023
【図２３】
0005916183.tif 000024
【図２４】
0005916183.tif 000025
【図２５】
0005916183.tif 000026